(57)【特許請求の範囲】
【請求項１】
監視部と、接地可能に構成された記録部と、これらを一体に連結する支柱とから構成され、前記監視部は、前面が開口した筐体内に、感知センサと、照明ランプと、前面開口方向に指向する監視カメラとを備えて成り、前記記録部は、接地可能に構成された密閉状のボックス内に、前記感知センサからの感知信号により照明ランプと監視カメラと後述の画像記録装置とを一定時間作動する作動制御装置と、前記監視カメラから得られた画像を記録する画像記録装置と、電源装置とを備えて成り、前記支柱は、中空状のパイプから成り、その下端開口部が記録部を構成するボックス内で開口するように、ボックスに立設し、かつ支柱の上部に前記監視部を取付けて、その上端開口部をキャップにより閉じると共に、支柱とキャップとの間に、支柱内と外気とを連通する連通手段を設け、かつ、ボックスの底部に、ボックスの接地状態で開口する通気手段を設けたことを特徴とする防犯用監視装置。
【請求項２】
記録部が、監視カメラから得られた画像に表示する画像表示装置を備えて成る請求項１記載の防犯用監視装置。
【請求項３】
支柱の上部に前記監視部を、上下方向における向きおよび円周方向における位置の調整を可能に構成した取付手段を介して取付けて成る請求項１または２記載の防犯用監視装置。
【請求項４】
監視部を支柱に対して上下方向における向きおよび円周方向における位置を調整可能に取付ける取付け手段が、支柱の外周に巻回され、かつ両端部に設けた取付片を締付けることにより、支柱の外周に緊締されるバンド部材と、下部に監視部を保持して上方に伸びる支持片の上部を取付片に対し、直接または連結片を介して回動可能に緊締する緊締具とから成る請求項１、２または３記載の防犯用監視装置。
【請求項５】
監視部を支柱に対して上下方向における向きおよび円周方向における位置を調整可能に取付ける取付手段が、支柱の外周に巻回され、かつ両端部に設けた取付片を締付けることにより支柱の外周に緊締されるバンド部材と、該バンド部材に固着されて側方向に伸びる連結扞と、該連結扞に対し監視部を取付けるボールジョイントから成る継手部材とから構成した請求項１、２または３記載の防犯用監視装置。
【請求項６】
通気手段が、ボックスの底部を貫通する通気孔と、非接地状態で自重により下動して、前記通気孔を閉止し、接地状態で上動して前記通気孔を開口する浮栓とから成る請求項１乃至５のいづれか１項記載の防犯用監視装置。
【請求項７】
支柱の軸方向に、複数の監視部をそれぞれ取付手段を介して並設して成る請求項１乃至６のいづれか１項記載の防犯用監視装置。
【請求項８】
支柱の上部に、バンド部材の幅に相当する間隔をおいて外周に膨出する節を設けて成る請求項４乃至７のいずれ１項記載の防犯用監視装置。
【請求項９】
監視部に、感知信号により一定時間作動する警報装置を備えて成る請求項１乃至８のいづれか１記載の防犯用監視装置。
【請求項１０】
記録部が、画像記録装置に記録される画像に、日時情報を付加する日時情報装置を備えて成る請求項１乃至９のいづれか１記載の防犯用監視装置。
【発明の詳細な説明】
【０００１】
【発明の属する技術分野】
本願は、敷地内や家屋内或いは建造物等に、不審者が潜入するなどの異常事態が生じた際に、その異常を感知すると共に、侵入者の行動などその異常状態の変化を記録し、かつ、警報を発する防犯用監視装置に関する。
【０００２】
【従来の技術】
従来、敷地内や家屋内或いは建造物内に、不審者が潜入するなどの異常状態が生じた際に、その異常を感知すると共に、潜入者の行動などその異常状態の変化を記録し、かつ、警報を発する防犯用監視装置は公知である。
【０００３】
ところで、従来の防犯用監視装置は、監視領域における異常状態を感知して感知信号を出力する感知手段と、常時作動しまたは感知信号により一定時間作動して監視領域を撮像する撮像手段と、撮像領域が夜間など暗い場合に、感知信号により一定時間監視領域を照明する照明手段と、必要に応じ感知信号により一定時間作動する警報手段とを備えて成る監視部分、および前記撮像手段により得られた画像を記録する画像記録装置と、前記撮像手段、照明手段および警報手段の作動をそれぞれ制御する作動制御装置と、前記画像を表示する表示装置とを備えて成る記録部分とから構成されている。
【０００４】
【発明が解決しようとする課題】
ところが、従来の防犯用監視装置によれば、監視部分を構成する感知手段、撮像手段および照明手段は、それぞれ単独構成となっており、これらを監視領域の周辺位置にそれぞれ設置し、また、監視部分と記録部分とは、離間した位置に設置される。
【０００５】
そのため、監視部分を構成する感知手段と、撮像手段と、照明手段の設置作業およびこれ等と記録部分とを相互に接続する配線作業が面倒であると共に、配線が長尺となり、そのため断線などの恐れも有し、また設置場所の変更も容易にできないという不都合を有する。
【０００６】
また、記録画像を表示する表示装置は、記録部分に備えているので、表示装置により、撮像手段の不具合が知得できたとしても、記録部分から離間した場所に監視部分が設置される関係上、撮像手段の調整、変更が容易にできないという不都合があった。
【０００７】
【課題を解決するための手段】
そこで、本願は、上記した従来のものの不都合を解消するために、監視部と、接地可能に構成された記録部と、これらを一体に連結する支柱とから構成され、前記監視部は、前面が開口した筐体内に、感知センサと、照明ランプと、前面開口方向に指向する監視カメラとを備えて成り、前記記録部は、接地可能に構成された密閉状のボックス内に、前記感知センサからの感知信号により照明ランプと監視カメラと後述の画像記録装置とを一定時間作動する作動制御装置と、前記監視カメラから得られた画像を記録する画像記録装置と、電源装置とを備えて成り、前記支柱は、中空状のパイプから成り、該支柱を、その下端開口部が記録部を構成するボックス内で開口するように、ボックスに立設し、かつ支柱の上部に前記監視部を取付けて、その上端開口部をキャップにより閉じると共に、支柱とキャップとの間に、支柱内と外気とを連通する連通手段を設け、かつ、ボックスの底部に、ボックスの接地状態で開口する通気手段を設けたことを特徴とするものである。
【０００８】
上記において、好ましくは、記録部が、監視カメラから得られた画像に表示する画像表示装置を備えて成る。
【０００９】
また、上記において、支柱の上部に前記監視部を、上下方向における向きおよび円周方向における位置の調整を可能に構成した取付手段を介して取付けられる。
【００１０】
さらに、本願は、監視部を支柱に対して上下方向における向きおよび円周方向における位置を調整可能に取付ける取付け手段が、支柱の外周に巻回され、かつ両端部に設けた取付片を締付けることにより、支柱の外周に緊締されるバンド部材と、下部に監視部を保持して上方に伸びる支持片の上部を取付片に対し、直接または連結片を介して回動可能に緊締する緊締具とから成る。
【００１１】
さらに、本願は、監視部を支柱に対して上下方向における向きおよび円周方向における位置を調整可能に取付ける取付手段が、支柱の外周に巻回され、かつ両端部に設けた取付片を締付けることにより支柱の外周に緊締されるバンド部材と、該バンド部材に固着されて側方向に伸びる連結扞と、該連結扞に対し監視部を取付けるボールジョイントから成る継手部材とから構成する。
【００１２】
上記において、また、本願は、通気手段が、ボックスの底部を貫通する通気孔と、非接地状態で自重により下動して、前記通気孔を閉止し、接地状態で上動して前記通気孔を開口する浮栓とから成る。
【００１３】
また、本願は、支柱の軸方向に、複数の監視部とそれぞれ取付手段を介して並設して成る。
【００１４】
また、本願は、支柱の上部に、バンド記載の幅に相当する間隔をおいて外周に膨出する節を設けて成る。
【００１５】
また、本願は、監視部に、感知信号により一定時間作動する警報装置を備え、また、記録部が、画像記録装置に記録される画像に、日時情報を付加する日時情報装置を備えて成る。
【００１６】
【発明の実施の形態】
以下図面について、本願の発明の実施の形態を詳述する。図１は、記録部の内部を透視した状態の本願装置の総体斜視図を、また図２は、記録部の縦断側面図をそれぞれ示しており、監視部１と、これを取付ける支柱２と、この支柱２を立設する記録部３とから構成されている。
【００１７】
前記監視部１は、図２で示すように、前面が開口状態にある有底筒状の筐体１１内に、ビデオカメラやＣＣＤカメラなどから成る監視カメラ１２と、赤外線感知センサーや温度変化により作動する熱感知センサーから成る感知センサ１３と、照明ランプ１４と、ブザーなどの警報装置１５とが、それぞれ筐体１１の前面開口部に指向するように配置してあり、好ましくは、筐体１１の前面上部には庇１１´が設けてあり、また監視カメラ１２、感知センサー１３、照明ランプ１４および警報装置１５を記録部３に接続するためのケーブル１６が弾性材から成る止具１７を介して筐体１１の背面位置から導出してある。
【００１８】
前記記録部３は、図６、図９から明らかなように、前面左右位置に、開閉扉３１によって閉じられた開口部３２を有し、全体として立方体状に形成された密閉状のボックス３３内に、前記感知センサー１３からの感知信号ｆにより、前記照明ランプ１４と警報装置１５および後述する画像記録装置３５を一定時間（１〜３分程度）作動する作動制御装置３４と、前記監視カメラ１２により撮像した画像を記録する画像記録装置３５と、この画像を表示する表示装置３６と、前記画像に日時情報を付加する常時作動の日時情報装置３７と、充電可能な蓄電池から成る電源装置３８とが備えられている。
【００１９】
さらにまた、前記支柱２は、中空状のパイプ２１から成り、その上端にキャップ２２が嵌合してあり、これが、前記記録部３のボックス３３の頂面中央位置に立設してある。
【００２０】
前記キャップ２２は、図３のＡ、Ｂで示すように、その周壁の内面に、複数の縦溝２３が設けてあり、従って監視部１と記録部３とを電気接続するケーブル１６は、縦溝２３を介して支柱２の内に導入される。
【００２１】
前記支柱２には、その上部に前記監視部１が取付けられる。この取付手段４は、図４で示すように、監視部１の筐体１１の胴部に設けた溝１８に巻回され、両端部に支持片４１を設けたバンド部材４２と、支柱２の外周に巻回され、両端に取付片４３を設けたバンド部材４４と、一端が前記支持片４１により挟持され、他端が前記取付片４３により挟持され、かつその各挟持部をそれぞれボルトナットの緊締具４５、４６により止着して両バンド部材４２、４４を連結する連結扞４７とから構成されている。
【００２２】
しかして、一方の緊締具４５を緩めることによって、連結扞４７に対し支持片４１が回動可能となるので、監視部１を上向き、下向きにその角度を調整することができ、また他方の緊締具４６を緩めるときは、支柱２に対しバンド部材４４が回動可能となるので、監視部１を、支柱２の周りに沿った水平方向の向きを調整することができる。
【００２３】
図５は、監視部１を構成する監視カメラ１２、感知センサー１３、照明ランプ１４、および警報装置１５と、記録部３を構成する作動制御装置３４、画像記録装置３５、表示装置３６、日時情報装置３７および電源装置３８との接続関係を示す図であって、図中Ａは、監視領域を示している。
【００２４】
前記作動制御装置３４は、感知センサー１３からの感知信号ｆによって一定時間（１〜３分程度）作動するタイマー回路３４aと、このタイマー回路３４aによって監視カメラ１２の作動を制御するカメラ制御回路３４bと、前記タイマー回路３４aによって照明ランプ１４とブザー１５との作動を制御するランプ・ブザー制御回路３４cと、前記タイマー回路３４aによって画像記録装置３５の作動を制御する画像記録制御回路３４dとから構成される。
【００２５】
しかして、使用に際し、記録部３を例えば木立の影などに、監視部１が監視領域Aを指向するように、監視部１の高さ位置や向きを調整して設置し、次いで、電源装置３８をONして、本願装置を待機状態に設定する。
【００２６】
この状態において、監視領域Ａ内に不審者が潜入すると、感知センサ１３がその潜入を感知して感知信号ｆを発生し、この感知信号ｆにより、タイマー回路３４aを介して監視カメラ１２と、照明ランプ１４と、ブザー１５および画像記録装置３５が一定時間（１〜３分程度）作動すると共に、監視カメラ１２によって得られた画像は、日時情報と共に、画像記録装置３５に記録される。
【００２７】
また、表示装置３６には、前記画像記録装置３５に記録される画像を表示することができる。そして記録された潜入者の動きを確認することもできる。
【００２８】
また、画像表示によって、監視カメラの写り具合や故障或いは監視領域の状況などの確認ができるので、万一、監視カメラに不具合が生じたり、監視領域に変化が生じた場合などでも、その場で、それ等の調整や交換が容易にできる。
【００２９】
図６は、記録部３を構成するボックス３３の一部裁断して示した側面図で、該ボックス３３は、その底部外面の４隅位置に、接地脚３３aを有し、また底部内面には支片３３bを介して内底板３３cが底部と所要の間隔をもって水平状に配置してあり、この内底板３３c上には、ボックス３３内に収納される装置類が載置される。
図中３２aは、開口部２１の周辺に沿って設けた気密性を保持するためのパッキンを示している。
【００３０】
また、ボックス３３の底部には、通気手段３９が設けてある。この通気手段３９は、ボックス３３の底部に設けられ、下面で開口した台形状の窪み部３９aと、この窪み部３９a内で、上下動可能であって、上動時に窪み部３９aを密封し、下動時に窪み部３９aを通気状態に開口する台形状の浮栓３９bと、この浮栓３９bから上方に延びて、窪み部３９aと前記内底板３２cとに設けた通気孔を貫通する軸扞３９cと、この軸扞３９cの上端に設けたストッパー３９dとから構成されている。
【００３１】
しかして、この通気手段３９は、常態では浮栓３９bが軸扞３９cと共にその自重により、下動して窪み部３９aが開口状態にあり、この状態において、ボックス３３内に収納された装置類から生じる熱によりボックス３３内にこもった空気は、前記支柱２内を通ってその上端に至り、さらに縦溝２３およびパイプ２１の上端とキャップ２２の頂部内面との間に生じた間隙を介して外部に放出され、このとき、通気手段３９は通気機能を発揮すると共に、支柱２は煙突効果を発揮する。
【００３２】
また、ボックス３３を屋外に設置した状態で、降雨などにより設置地面が冠水したときは、前記浮栓３９bが浮力により上動して、窪み部３９aを密閉して雨水がボックス３３に浸入する惧れを防止する。
【００３３】
図７は、支柱２に監視部１を取付ける取付手段５の他の実施例を示す斜視図であり、この取付手段５は、両端に取付片５１を、長手方向の中央位置に支持部５２をそれぞれ設け、前記取付片５１を、緊締具５３で緊締することにより支柱２の外周に取付けられるバンド部材５４と、一端に止着片５５を設け、この止着片５５を前記支持部５２に止具５６により止着することにより、支柱２から水平に延びる連結扞５７と、監視部１の筐体１１の下面を前記連結扞５７に取付けるボールジョイントから成る継手部材５８とから構成されている。
【００３４】
前記継手部材５８は、図８で示すように、監視部１の下面に設けられ、内周面にネジ５８aを施した外筒５８bと、これを周心円状に設けられ、下面に孤面５８ｃを形成した内筒５８ｄと、外周面に前記ネジ５８aと螺合するネジ５８eを、底部に開口部５８ｆをそれぞれ有した有底筒状の挟持部片５８ｇと、中間に鍔５８ｈを有したネジ軸５８iを下方に空設し、かつ前記内筒５８ｄの孤面５８ｃと前記挟持部片５８ｇの底部との間に介入する球体５８ｊと、前記ネジ軸５８iに螺合するナット５８ｋとから構成されている。
【００３５】
このように構成された継手部材５８は、ネジ軸５８iを連結扞５７の先端部に設けた取付孔（図示せず）に挿通すると共に、ナット５８ｋをネジ軸５７iに螺合して、鍔５８ｈとナット５８ｋとの間で連結扞５７を緊締し、さらに、ネジ５８aと５８eとを螺合して、挟持部材５８ｇを回動操作することにより、球体５８ｊを、内筒５８ｄの下面の孤面５８ｃと挟持部片５８ｇの底部との間で挟持して、監視部１を連結扞５７に対し固定する。
【００３６】
また、上記において、挟持部片５８ｇを緩めると、開口部５８ｆがネジ軸５８iに当接する範囲内で、球体５８ｊに対し、内筒５８ｄが傾動できるので、監視部１の上下方向および水平方向の向きを自在に調整することができる。
【００３７】
図９および図１０は、支柱２に、２個の監視部１Aと1Bとを向きが異なるように、取付手段４により取付けて成る他の実施例における総体斜視図および監視部１A、1Bと記録部３との接続関係を示す図であって、図１０において、図５と相違するところは、支柱２に２個の監視部１A、1Bを取付けたことに伴い、作動制御装置３４が、監視部１A、1Bにそれぞれ対応して、タイマー回路３４aと、カメラ制御回路３４bと、ランプ・ブザー制御回路３４ｃと画像記録制御回路３４ｄをそれぞれ備えるほか、２個の監視カメラ１２より撮像した画像を選択して、表示装置３６に１つの画像を表示するための画像表示選択回路３４eを備えて成る点および２個の監視カメラ１２、１２によって撮像した画像をそれぞれ個別に記録する２個の画像記録装置３５A、３５Bを備えて成る点にあり、その作用は、基本的に図５で示す実施例の場合と相違するところはない。
【００３８】
なお上記において、２個の監視部１A、1Bを支柱２に取付ける場合、２個の監視カメラ１２による撮像領域が、一部重複するように監視部１Aと1Bの向きを設定するときは、撮像領域の重複部分においては、一方の監視カメラ１２が何等の原因で撮像が困難となった場合でも、他方の監視カメラ１２の撮像によって、それを補足することができる。
【００３９】
図１１は、支柱２に対し、４個の監視部１A乃至1Dを、４方向に指向するように取付けて、３６０°の範囲を撮像することができるように構成した場合のさらに他の実施例を示す本装置の総体斜視図、図１２は、該実施例における監視部１A乃至1Dと、記録部３との接続関係を示す図である。
【００４０】
この実施例における作動制御回路３４は、各監視部１A乃至1Dにそれぞれ対応して、タイマー回路３４aとカメラ制御回路３４bとランプ・ブザー制御回路３４ｃとを備えると共に、前記各タイマー回路３４aによって作動する共通の画像記録制御回路３４ｄと、各監視部１A乃至1Dの各監視カメラ１２からの画像を合成する画像合成回路３４ｆと、各監視カメラ１２から得られた画像および前記画像合成回路３４ｆの合成画像を適宜選択してその１つを表示装置３６に表示するための画像選択回路３４eとを備えて成る。
【００４１】
前記画像合成回路３４ｆは、４個の撮像カメラ１２からそれぞれ出力される４系統の画像情報を合成して、その合成画像情報を生成する４分割アダプタを有し、各監視カメラ１２からの４系統の画像情報を、４分割アダプタにより、１つのフレーム画像信号に合成する。
すなわち、図１２で示すように、１つのフレームHにおいて割り当てられた各区分D1、乃至D４に対し、各監視カメラ１２により得られた画像がそれぞれ記録される。
【００４２】
しかして、この構成において、例えば第１の監視部１Aの感知センサ１３が作動すると、すでに述べたように、感知信号ｆにより第１のタイマー回路３４aが作動し、これにより第１のカメラ制御回路３４ｂを介して第１の監視カメラ１２が、また第１のランプ・ブザー制御回路３４ｃを介して第１の照明ランプ１４とブザー１５とがそれぞれ一定時間作動すると共に、画像記録制御回路３４ｄを介して画像記録装置３５も一定時間作動し、これによって監視カメラ１２によって撮像した画像は、４分割アダプタを備えた画像合成回路３５ｆを介して１フレームにおける４分割された１の区分例えばD1に画像信号として記録される。
【００４３】
このようにして、第２乃至第４の監視部1B乃至1Dにおける各監視カメラ１２により撮像された画像は、１フレームにおける他の割り当てられた区分D2乃至D4にそれぞれ記録される。
【００４４】
上記において、第１の監視部１Aの画像記録制御回路３４ｄの作動中に、第２の監視部１Bにおける感知センサ１３が作動すると、第１の監視部１Aにおけるタイマ回路３４aと第２の監視部１Bにおけるタイマ回路３４aとの作動時間差に相当して画像記録制御回路３４ｄの作動は延長され、これによって画像記録装置３５の作動は継続される。
【００４５】
従って、第２の監視部１Bにおける監視カメラ１２の撮像画像は、４分割アダプタを備えた画像合成回路３５ｆを介して１フレームの４分割における割り当てられた他の１つの区分D2内に画像信号として記録され、この場合、1つの区分D1に対し第１の監視部１Aの監視カメラ１２の画像が記録されている過程で、第２の監視部1Aの監視カメラ１２の画像が第２の区分D2に記録されることになる。
【００４６】
しかして、画像合成回路３４ｆによる合成画像を、画像表示選択回路３４eにより選択して、表示装置３６に表示するときは、表示される画像は、区分Ｄ1乃至Ｄ4において一望できるので、監視カメラ１２Ａ乃至１２Ｄから得られる画像の移り変わりを知得することができるので、監視カメラの向きなどの調整が容易にできる。
【００４７】
図１３は、支柱２に、取付手段４乃至５により監視部１を取付けた際に、バンド部材４４乃至５４が、外部振動などにより或いは監視部１の向きを調整するために、バンド部材４４乃至５４を緩めたとき、監視部１の重量によって、該バンド部材が不用意に下方にずれる惧れを防止するために、支柱２の外周に、バンド部材４４乃至５４の幅に相当する間隔をもって凸状の節２５を隔設した状態を示す。支柱２の半裁した部分図であって、好ましくは、節２５の内面を断面凹状に形成してあり、この凹状溝２６の形成によって、パイプ２１の内面で結露した水滴は、凹状溝２６に受け止められて、記録部３内に落滴する惧れを防止できる。
【００４８】
【発明の効果】
以上詳記したように、本願によれば、監視機能を有する監視部分と記録機能を有する記録部とを、支柱を介して一体に構成し、かつ記録部を接地可能な構成したので、取扱いおよび設置場所の位置変更などが容易であると共に、照明ランプを備えているので、昼夜および明暗の場所の如何に不拘使用することができ、さらに、監視部と記録部とを接続するケーブルが短尺ですむので、それ丈`断線などの惧れを回避することができる。
【００４９】
特に、本願発明によれば、監視部と記録部とを接続するケーブルを、支柱内に隠蔽できるので、ケーブルを有効に保護することができるという利点を有する。
【００５０】
また、本願発明によれば、支柱が煙突効果を発揮するので、記録部の内部が高温となって装置の機能低下などをきたしたり、或いは、発熱による障害の惧れを防止することができる。
【００５１】
また、請求項２記載の発明によれば、監視カメラと表示装置とが近接した位置にあるので、監視カメラの画像の写り具合や監視領域の調整などが容易に、かつ、適確に行うことができる。
【００５２】
さらにまた、請求項４記載の発明によれば、監視部の上下方向における向きおよび円周方向における位置の調整を自在に調整することができて、取扱いに便利である。
【００５３】
また、請求項８記載の発明によれば、風圧などによる振動或いは、取付手段が監視部の重量により、支柱に沿って徐々に下方にずれる惧れを防止して、監視部の固定化をはかることができる。
【００５４】
また、請求項９記載の発明によれば、警報を発して、監視領域における異常を知らしめることができ、また請求項１０記載の発明によれば、画像記録装置に記録された画像の記録日時を知ることができて便利である。
【図面の簡単な説明】
【図１】      記録部の内部を透視した状態の本願装置の総体斜視図
【図２】      監視部の内部構造を示す断面図
【図３】      支柱上端部の横断面図（Ａ）、縦断面図（Ｂ）
【図４】      監視部の取付状態を示す斜視図
【図５】      監視部と記録部との接続関係を示す図
【図６】      ボックスの一部裁断した側面図
【図７】      図４に対応する他の実施例を示す図
【図８】      他の実施例における取付手段の部分断面図
【図９】      図１に対応する他の実施例を示す図
【図１０】    図５に対応する他の実施例を示す図
【図１１】    図１に対応する他の実施例を示す図
【図１２】    図５に対応する他の実施例を示す図
【図１３】    支柱の部分半裁側面図
【符号の説明】
１、１Ａ、１Ｂ、１Ｃ、１Ｄ    監視部
２      支柱
３      記録部
４、５  取付手段
７      固定バンド
１１    筐体
１２    監視カメラ
１３    感知センサ
１４    照明ランプ
１５    ブザー
１６    ケーブル
２１    パイプ
２２    キャップ
２３    縦溝
３３    ボックス
３４    作動制御装置
３４a   タイマ回路
３４ｂ  カメラ制御回路
３４ｃ  ランプ・ブザー制御回路
３４ｄ  画像記録制御回路
３４e   画像選択回路
３４ｆ  画像合成回路
３５    画像記録装置
３６    表示装置
３７    日時情報装置
３９    通気手段
４２、４４    バンド部材
４５、４６、５３    緊締具
４７、５７    連結扞
５８    継手部材
【図１】
0003934484.tif 000002
【図２】
0003934484.tif 000003
【図３】
0003934484.tif 000004
【図４】
0003934484.tif 000005
【図５】
0003934484.tif 000006
【図６】
0003934484.tif 000007
【図７】
0003934484.tif 000008
【図８】
0003934484.tif 000009
【図９】
0003934484.tif 000010
【図１０】
0003934484.tif 000011
【図１１】
0003934484.tif 000012
【図１２】
0003934484.tif 000013
【図１３】
0003934484.tif 000014